(57)【要約】【課題】  消費電力を低減した、ＲＦ通信で操作信号を送信可能なリモートコントロール装置を提供する。【解決手段】  外部機器に対して無線で操作信号を送信する第１無線通信部（ＲＦ通信部１５０）と、前記外部機器においてダイアログ表示、エラー発生、コンテンツの再生終了、メール受信、または緊急放送受信の際に発信されるトリガー信号を受信する、第２無線通信部（ＩＲ通信部１６０）と、前記第１無線通信部のオン状態とオフ状態とを制御する制御部（１００）と、を備え、前記制御部（１００）は、前記第１無線通信部がオフ状態のときに前記トリガー信号が検出されたとき、前記第１無線通信部の状態をオン状態にするよう制御することを特徴とするリモートコントロール装置を提供する。【選択図】  図４
2016025643.tif 000002
【特許請求の範囲】
【請求項１】
外部機器に対して無線で操作信号を送信する第１無線通信部と、
前記外部機器においてダイアログ表示、エラー発生、コンテンツの再生終了、メール受信、または緊急放送受信の際に発信されるトリガー信号を受信する、第２無線通信部と、
前記第１無線通信部のオン状態とオフ状態とを制御する制御部と、を備え、
前記制御部は、前記第１無線通信部がオフ状態のときに前記トリガー信号が検出されたとき、前記第１無線通信部の状態をオン状態にするよう制御し、
前記第１無線通信部は前記第２無線通信部よりも単位時間に多くの信号を送信可能である
ことを特徴とするリモートコントロール装置。
【請求項２】
外部機器に対して無線で操作信号を送信する第１無線通信部と、
前記外部機器から発信されるトリガー信号を中継機器を介して受信する第２無線通信部と、
前記第１無線通信部のオン状態とオフ状態とを制御する制御部と、を備え、
前記制御部は、前記第１無線通信部がオフ状態のときに前記トリガー信号が検出されたとき、前記第１無線通信部の状態をオン状態にするよう制御し、
前記第１無線通信部は前記第２無線通信部よりも単位時間に多くの信号を送信可能である
ことを特徴とするリモートコントロール装置。
【請求項３】
外部機器に対して無線で操作信号を送信する無線通信部と、
振動を検出する振動検出部と、
前記無線通信部のオン状態とオフ状態とを制御する制御部と、を備え、
前記制御部は、前記無線通信部がオフ状態のときに前記振動検出部が振動を検出したとき、前記無線通信部の状態をオン状態にするよう制御する
ことを特徴とするリモートコントロール装置。
【請求項４】
前記振動検出部は、外部機器から無線で送信されたトリガー信号によって発生した振動を検出する
ことを特徴とする請求項３に記載のリモートコントロール装置。
【発明の詳細な説明】
【技術分野】
【０００１】
本発明の一態様は、操作対象機器である表示装置などを操作可能なリモートコントロール装置（リモコン）などに関する。
【背景技術】
【０００２】
現在、操作対象機器である表示装置などをリモコン（リモートコントロール装置）で操作するシステムが普及している。近年、このリモコンが操作対象機器及びリモコンの双方が高機能化し、操作対象機器とリモコンとの間で送受信される信号量（データ量）が増加している。この状況に対応するため、従来はＩＲ（赤外線）通信で実行されていた機器間の通信が、ＲＦ（高周波）通信で実行されることが多くなってきた。ところで、特許文献１、特許文献２、及び特許文献３には、スリープ状態から復帰するリモコンに関する技術が開示されている。
【先行技術文献】
【特許文献】
【０００３】
【特許文献１】特開２０１２−５４６５７号公報
【特許文献２】特開２００４−３５６７８６号公報
【特許文献３】特開２０１１−１９３２１３号公報
【発明の概要】
【発明が解決しようとする課題】
【０００４】
しかしながら、上記のＲＦ通信を利用する所謂ＲＦリモコンでは、消費電力が高くなる。そこで、このＲＦリモコンの消費電力を低減するために、所謂スリープ状態を効果的に利用することが必要となる。しかしながら、ＲＦリモコンではスリープ状態からの復帰にある程度の時間を要するため、ユーザが、スリープ状態から復帰中のＲＦリモコンを利用することができないといった課題があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
外部機器（表示装置２０）に対して無線で操作信号を送信する第１無線通信部（ＲＦ通信部１５０）と、
前記外部機器においてダイアログ表示、エラー発生、コンテンツの再生終了、メール受信、または緊急放送受信の際に発信されるトリガー信号を受信する、第２無線通信部（ＩＲ通信部１６０）と、
前記第１無線通信部のオン状態とオフ状態とを制御する制御部（１００）と、を備え、
前記制御部（１００）は、前記第１無線通信部がオフ状態のときに前記トリガー信号が検出されたとき、前記第１無線通信部の状態をオン状態にするよう制御し、
前記第１無線通信部（ＲＦ通信部１５０）は前記第２無線通信部（ＩＲ通信部１６０）よりも単位時間に多くの信号を送信可能である
ことを特徴とするリモートコントロール装置（ＲＦリモコン１０）である。
【０００７】
上記構成のリモートコントロール装置（ＲＦリモコン１０）によれば、ユーザが外部機器の操作を開始する可能性が高いタイミングで発信されるトリガー信号に基づいて第１無線通信部（ＲＦ通信部１５０）を起動するため、ユーザが操作を開始する前に予めスリープ状態からの復帰処理を開始することができる。これにより、操作性を高めることができる。
【０００８】
本発明の手段２は、
外部機器（表示装置２０）に対して無線で操作信号を送信する第１無線通信部（ＲＦ通信部１５０）と、
前記外部機器から発信されるトリガー信号を中継機器（スマートデバイス３０）を介して受信する第２無線通信部（ＩＲ通信部１６０）と、
前記無線通信部のオン状態とオフ状態とを制御する制御部（１００）と、を備え、
前記制御部（１００）は、前記無線通信部がオフ状態のときに前記トリガー信号が検出されたとき、前記第１無線通信部の状態をオン状態にするよう制御し、
前記第１無線通信部（ＲＦ通信部１５０）は前記第２無線通信部（ＩＲ通信部１６０）よりも単位時間に多くの信号を送信可能である
ことを特徴とするリモートコントロール装置（ＲＦリモコン１０）である。
【０００９】
上記構成のリモートコントロール装置（ＲＦリモコン１０）によれば、中継機器を介して受信したトリガー信号に基づいて第１無線通信部（ＲＦ通信部１５０）を起動して、スリープ状態からの復帰処理を開始することができる。これにより、操作性を高めることができる。
【００１０】
本発明の手段３は、
外部機器（表示装置２０）に対して無線で操作信号を送信する無線通信部（ＲＦ通信部１５０）と、
振動を検出する振動検出部（振動センサ１４０）と、
前記無線通信部のオン状態とオフ状態とを制御する制御部（１００）と、を備え、
前記制御部（１００）は、前記無線通信部がオフ状態のときに前記振動検出部が振動を検出したとき、前記無線通信部の状態をオン状態にするよう制御する
ことを特徴とするリモートコントロール装置（ＲＦリモコン１０）である。
【００１１】
上記構成のリモートコントロール装置（ＲＦリモコン１０）によれば、検出された振動に基づいて第１無線通信部（ＲＦ通信部１５０）を起動して、スリープ状態からの復帰処理を開始することができる。これにより、操作性を高めることができる。
【００１２】
本発明の手段４は、
前記振動検出部（振動センサ１４０）は、外部機器から無線で送信されたトリガー信号によって発生した振動（スマートデバイス３０の振動）を検出する
ことを特徴とする手段３のリモートコントロール装置（ＲＦリモコン１０）である。
【００１３】
上記構成のリモートコントロール装置（ＲＦリモコン１０）によれば、トリガー信号を受信した機器を介して間接的に振動を検出して、スリープ状態からの復帰処理を開始することができる。これにより、操作性を高めることができる。
【図面の簡単な説明】
【００１４】
【図１】実施形態１のシステムの構成例を示す図。
【図２】ＲＦリモコンの構成例を示す図。
【図３】表示装置の構成例を示す図。
【図４】実施形態１のスリープ復帰処理の具体例を示すフローチャート。
【図５】実施形態２のシステムの構成例を示す図。
【図６】スマートデバイスの構成例を示す図。
【図７】実施形態２のスリープ復帰処理の具体例を示すフローチャート。
【図８】実施形態３のシステムの構成例を示す図。
【図９】実施形態３のスリープ復帰処理の具体例を示すフローチャート。
【発明を実施するための形態】
【００１５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システムの構成例
（２）スリープ復帰処理の具体例
２．実施形態２
（１）システムの構成例
（２）スリープ復帰処理の具体例
３．実施形態３
（１）システムの構成例
（２）スリープ復帰処理の具体例
４．補足事項
５．本発明の特徴
【００１６】
＜１．実施形態１＞
まず、本発明の実施形態１について、図１乃至図４を参照しながら説明する。
【００１７】
＜（１）システムの構成例＞
図１は、本実施形態のシステムの構成例を示す図である。図１に示されるように、本実施形態のシステムは、ＲＦリモコン１０及び表示装置２０を含んで構成される。表示装置２０は、ＲＦリモコン１０によって操作可能に構成される。ＲＦリモコン１０と表示装置２０との間では、ＲＦ（高周波）通信により操作信号の送受信が行われ、ＩＲ（赤外線）通信を利用してスリープ復帰処理が行われる。
【００１８】
＜ＲＦリモコン１０＞
図２は、ＲＦリモコン１０の構成例を示す図である。図２に示されるように、ＲＦリモコン１０は、制御部１００、メモリ１１０、入力キー１２０、ジャイロセンサ１３０、振動センサ１４０、ＲＦ通信部１５０、及びＩＲ通信部１６０を含んで構成される。
【００１９】
ＲＦリモコン１０は、通常モードとスリープモードとの少なくとも２つのモードで動作する。通常モードでは、ＲＦリモコン１０に含まれる各要素に電力が供給される。一方、スリープモード（スリープ状態）では、ＲＦリモコン１０に含まれる要素のうち、ＲＦ通信部１５０及びジャイロセンサ１３０を除く各構成に電力が供給される。なお、通常モードでは、振動センサ１４０及びＩＲ通信部１６０には電力が供給されないよう制御されてもよい。これらの電力供給は、制御部１００によって制御される。
【００２０】
＜制御部１００＞
制御部１００は、ＲＦリモコン１０における種々の処理を実行可能に構成された制御手段であり、ＲＦリモコン１０の各構成を制御可能に構成される。
【００２１】
制御部１００は、入力キー１２０及びジャイロセンサ１３０からの入力に基づいて操作信号を生成し、この操作信号をＲＦ通信部１５０から表示装置２０に対して送信させるよう制御する。また、制御部１００は、ＩＲ通信部１６０で受信された復帰信号に基づいて、ＲＦ通信部１５０をオフ状態からオン状態へと切り替えるよう制御する。
【００２２】
＜メモリ１１０＞
メモリ１１０は、制御部１００の制御により、種々のデータを記憶し、記憶しているデータを制御部１００に出力するよう構成される。
【００２３】
＜入力キー１２０＞
入力キー１２０は、ＲＦリモコン１０に設けられた物理キー（物理ボタン）が押下されたことを検出し、検出結果を制御部１００に出力するよう構成される。
【００２４】
＜ジャイロセンサ１３０＞
ジャイロセンサ１３０は、ユーザがＲＦリモコン１０を振ったりする操作で発生した変位の角速度を検出し、検出された角速度に関する情報を制御部１００に出力するよう構成される。
【００２５】
＜振動センサ１４０＞
振動センサ１４０は、ＲＦリモコン１０に外部から与えられた振動を検出し、検出結果を制御部１００に出力するよう構成される。なお、振動センサ１４０はジャイロセンサ１３０と同一構成であってもよい。この場合、スリープモードではジャイロセンサ１３０は振動を検出できる程度の精度で動作するように電力が供給される必要がある。
【００２６】
＜ＲＦ通信部１５０＞
ＲＦ通信部１５０は、ＲＦ（高周波）通信により、表示装置２０に対して操作信号を送信するよう構成される。
【００２７】
＜ＩＲ通信部１６０＞
ＩＲ通信部１６０は、概ね家庭内の各部屋内で近距離での通信が可能なＩＲ（赤外線）通信により復帰信号を受信するよう構成される。本実施形態では、復帰信号は表示装置２０のＩＲ通信部２６０から送信される。
【００２８】
＜表示装置２０＞
図３は、表示装置２０の構成例を示す図である。表示装置２０は、制御部２００、メモリ２１０、表示部２２０、ＲＦ通信部２５０、ＩＲ通信部２６０、及びＷｉ−Ｆｉ通信部２７０を含んで構成される。
【００２９】
＜制御部２００＞
制御部２００は、表示装置２０における種々の処理を実行可能に構成された制御手段であり、表示装置２０の各構成を制御可能に構成される。
【００３０】
制御部２００は、ＲＦ通信部２５０で受信された操作信号に基づいて、メモリ２１０、表示部２２０を制御して、ユーザにより視聴可能な映像を表示及び制御するよう構成される。また、制御部２００は、メモリ２１０に記憶された種々のソフトウェアを実行するよう構成される。制御部２００は、実行中のソフトウェアにおいて、ダイアログ表示、エラー発生、コンテンツの再生終了、メール受信、または緊急放送受信が発生したときに、復帰信号を送信するようＩＲ通信部２６０またはＷｉ−Ｆｉ通信部２７０を制御するよう構成される。なお、復帰信号の条件（トリガ）となるのは上記に列挙したものに限定されるものではなく、所定の条件に基づいて復帰信号を送信するよう制御してもよい。
【００３１】
＜メモリ２１０＞
メモリ２１０は、制御部２００の制御により、種々のデータを記憶し、記憶しているデータを制御部２００に出力するよう構成される。
【００３２】
＜表示部２２０＞
表示部２２０は、ＬＣＤ（Ｌｙｑｕｉｄ  Ｃｒｙｓｔａｌ  Ｄｉｓｐｌａｙ）または有機ＥＬディスプレイなどで構成され、制御部２００の制御により画像（映像を含む）を表示するよう構成される。
【００３３】
＜ＲＦ通信部２５０＞
ＲＦ通信部２５０は、ＲＦ（高周波）通信により、表示装置２０から操作信号を受信し、受信した操作信号を制御部２００に出力するよう構成される。
【００３４】
＜ＩＲ通信部２６０＞
ＩＲ通信部２６０は、制御部２００の制御により、ＩＲ（赤外線）通信で復帰信号を送信するよう構成される。
【００３５】
＜Ｗｉ−Ｆｉ通信部２７０＞
Ｗｉ−Ｆｉ通信部２７０は、制御部２００の制御により、Ｗｉ−Ｆｉ通信で信号を送受信できるよう構成される。
【００３６】
＜（２）スリープ復帰処理の具体例＞
次に、本実施形態のシステムで実行されるスリープ復帰処理について、図４に示すスリープ復帰処理のフローチャートを参照しながら説明する。
【００３７】
＜Ｓ５００〜Ｓ５２０＞
ＲＦリモコン１０のＲＦ通信部１５０がその機能を停止しているスリープモードのときに、表示装置２０において実行中のソフトウェアにおいて、ダイアログ表示、エラー発生、コンテンツの再生終了、メール受信、または緊急放送受信などの復帰タイミングが検知されると（Ｓ５００〜Ｓ５１０）、表示装置２０の制御部２００は、ＩＲ通信部２６０からＲＦリモコン１０に対して復帰信号を送信する（Ｓ５２０）。なお、表示装置２０の制御部２００は必ずしもＲＦリモコン１０がスリープモードであるか否かを認識している必要はなく、復帰タイミングで常に復帰信号を送信するようにしてもよい。
【００３８】
＜Ｓ５３０＞
ＲＦリモコン１０のＩＲ通信部１６０がこの復帰信号を受信すると、制御部１００はＲＦリモコン１０をスリープモードから通常モードへと遷移させる（Ｓ５３０）。具体的には、制御部２００は、電力が供給されていなかったＲＦ通信部１５０及びジャイロセンサ１３０に電力を供給するよう制御する。これによって、ＲＦリモコン１０は、ＲＦ通信部
１５０から表示装置２０に対して操作信号を送信できる通常モードの状態となる。ＲＦリモコン１０が通常モードに遷移したら、スリープ復帰処理は終了する（Ｓ５４０）。
【００３９】
＜２．実施形態２＞
次に、本発明の実施形態２について、図５乃至図７を参照しながら説明する。本実施形態のシステムは、実施形態１のシステムに含まれるＲＦリモコン１０及び表示装置２０に加え、スマートデバイス３０及びルーター４０が含まれる点で相違する。本実施形態ではこの構成の違いにより、スリープ復帰処理の内容が相違している。ただし、ＲＦリモコン１０及び表示装置２０の構成については同様である。以下、実施形態１と比較した本実施形態の特徴部分について説明するが、実施形態１と同様の内容についてはその説明を省略する。
【００４０】
＜（１）システムの構成例＞
図５は、本実施形態のシステムの構成例を示す図である。図５に示されるように、本実施形態のシステムは、ＲＦリモコン１０、表示装置２０、スマートデバイス３０、及びルーター４０を含んで構成される。表示装置２０は、ルーター４０に対してＷｉ−Ｆｉ通信で信号を送信する。ルーター４０は、Ｗｉ−Ｆｉ通信でスマートデバイス３０に信号を送信する。スマートデバイス３０は、ＩＲ通信でＲＦリモコン１０に信号を送信する。ＲＦリモコン１０は、ＲＦ通信で表示装置２０に信号を送信する。
【００４１】
＜スマートデバイス３０＞
図３は、スマートデバイス３０の構成例を示す図である。図６に示されるように、スマートデバイス３０は、制御部３００、メモリ３１０、タッチパネル３２０、ジャイロセンサ３３０、ＩＲ通信部３６０、Ｗｉ−Ｆｉ通信部３７０、及び振動部３８０を含んで構成される。スマートデバイス３０は、スマートフォンまたはタブレットなどの電子機器である。なお、スマートデバイス３０は、上記以外の構成として３Ｇ通信部、カメラ機能部などを備えてもよいが、本実施形態の特徴部分ではないためここではその説明を省略している。
【００４２】
＜制御部３００＞
制御部３００は、スマートデバイス３０における種々の処理を実行可能に構成された制御手段であり、スマートデバイス３０の各構成を制御可能に構成される。
【００４３】
制御部３００は、Ｗｉ−Ｆｉ通信部３７０で受信した、表示装置２０からルーター４０を介して復帰信号を受信したときに、ＩＲ通信部３６０からＲＦリモコン１０に対して復帰信号を送信するよう制御する。
【００４４】
＜メモリ３１０＞
メモリ３１０は、制御部３００の制御により、種々のデータを記憶し、記憶しているデータを制御部３００に出力するよう構成される。
【００４５】
＜タッチパネル３２０＞
タッチパネル３２０は、画像を表示する表示部と一体的に構成されており、ユーザの指または指示具の接触（タッチ）または近接を検出し、検出した状態を制御部３００に出力するよう構成される。
果を制御部１００に出力するよう構成される。
【００４６】
＜ジャイロセンサ３３０＞
ジャイロセンサ３３０は、ユーザがスマートデバイス３０を振ったりする操作で発生した変位の角速度を検出し、検出された角速度に関する情報を制御部３００に出力するよう構成される。
【００４７】
＜ＩＲ通信部３６０＞
ＩＲ通信部３６０は、ＩＲ（赤外線）通信により復帰信号を送信するよう構成される。
【００４８】
＜Ｗｉ−Ｆｉ通信部３７０＞
Ｗｉ−Ｆｉ通信部３７０は、制御部３００の制御により、Ｗｉ−Ｆｉ通信で信号を送受信できるよう構成される。本実施形態では、Ｗｉ−Ｆｉ通信部３７０は、表示装置２０のＷｉ−Ｆｉ通信部２７０から復帰信号を受信する。
【００４９】
表示装置２０のＷｉ−Ｆｉ通信部２７０は、制御部２００の制御により、所定の条件に基づいてスマートデバイス３０に対して復帰信号を送信する。
【００５０】
＜振動部３８０＞
振動部３８０は、制御部３００の制御により振動を起こすことができるよう構成される。振動部３８０は、例えば電流駆動されるモータを含んで構成される。
【００５１】
＜（２）スリープ復帰処理の具体例＞
次に、本実施形態のシステムで実行されるスリープ復帰処理について、図７に示すスリープ復帰処理のフローチャートを参照しながら説明する。なお、実施形態１と同様の処理については、同じ符号を付してその説明を省略する。
【００５２】
＜Ｓ５２１＞
表示装置２０の制御部２００が、ＲＦリモコン１０の復帰タイミングを検知すると（Ｓ５１０）、表示装置２０の制御部２００は、Ｗｉ−Ｆｉ通信部２７０からスマートデバイス３０に対して復帰信号を送信する（Ｓ５２１）。Ｗｉ−Ｆｉ通信部２７０から送信された復帰信号は、ルーター４０を介してスマートデバイス３０に対して送信される。
【００５３】
＜Ｓ５２２＞
スマートデバイス３０が復帰信号を受信すると、スマートデバイス３０の制御部３００は、ＩＲ通信部３６０を制御して、ＲＦリモコン１０に対して復帰信号を送信（転送）する（Ｓ５２２）。
【００５４】
上記の処理によって、ＲＦリモコン１０は復帰信号を受信し、制御部１００はスリープモードから通常モードへの遷移を実行する（Ｓ５３０）。これによって、ＲＦリモコン１０は、ＲＦ通信部１５０からＲＦ通信で表示装置２０に対して操作信号を送信することができるようになる。
【００５５】
＜３．実施形態３＞
次に、本発明の実施形態３について、図８及び図９を参照しながら説明する。本実施形態のシステムは、実施形態２と同様の構成を含んでいるが、スマートデバイス３０からＲＦリモコン１０に対して信号の送信は行われず、物理的な振動によりスマートデバイス３０からＲＦリモコン１０に対して復帰信号の擬似的な転送が行われる。これにより、本実施形態ではスリープ復帰処理の内容が相違している。ただし、システムに含まれる各構成については実施形態２と同様である。以下、実施形態２と比較した本実施形態の特徴部分について説明するが、実施形態２と同様の内容についてはその説明を省略する。
【００５６】
＜（１）システムの構成例＞
図８は、本実施形態のシステムの構成例を示す図である。図８に示されるように、本実施形態のシステムは、実施形態２と同様に、ＲＦリモコン１０、表示装置２０、スマートデバイス３０、及びルーター４０を含んで構成される。上記のとおり、スマートデバイス３０とＲＦリモコン１０とは信号の送受信を行わない。ＲＦリモコン１０は、スマートデバイス３０に重ねられるように置かれており、これによりＲＦリモコン１０はスマートデバイス３０の振動に同期して振動する。
【００５７】
＜（２）スリープ復帰処理の具体例＞
次に、本実施形態のシステムで実行されるスリープ復帰処理について、図９に示すスリープ復帰処理のフローチャートを参照しながら説明する。なお、実施形態２と同様の処理については、同じ符号を付してその説明を省略する。
【００５８】
＜Ｓ５２３＞
スマートデバイス３０が復帰信号を受信すると、制御部３００は振動部３８０を振動させるよう制御する（Ｓ５２３）。
【００５９】
＜Ｓ５３１＞
上記処理によってスマートデバイス３０が振動すると、スマートデバイス３０に重ねて置かれたＲＦリモコン１０の振動センサ１４０はこの振動を検知して、検知結果を制御部３００に送信する。この振動の検出に応答して、制御部３００はＲＦリモコン１０をスリープモードから通常モードへと遷移させる（Ｓ５３１）。これにより、ＲＦリモコン１０は表示装置２０に対してＲＦ通信部１６０によるＲＦ通信で操作信号を送信可能な状態となる。
【００６０】
＜４．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６１】
上記実施形態におけるＷｉ−Ｆｉ通信、ＲＦ通信、及びＩＲ通信を利用して信号の送受信が行われたが、これらの通信方式に限定されるものではない。本発明の目的は、ＲＦリモコン１０が待機時消費電力の高いＲＦ通信部１６０をスリープモード時に停止させ、これにより消費電力を低減することである。すなわち、ＲＦリモコン１０から表示装置２０に対して送信される信号は、ＩＲ通信などの近距離無線通信と比較して消費電力が比較的高い無線通信方式で送信される。一方、ＲＦリモコン１０では、スリープモード時にＩＲ通信のような比較的消費電力が低い近距離無線通信による復帰信号の受信か、または振動を介した擬似的な復帰信号の受信をきっかけに、スリープモードから通常モードへの遷移が行われる。
【００６２】
上記実施形態では、表示装置２０とスマートデバイス３０との間のＷｉ−Ｆｉ通信にルーター４０が介在したが、このルーター４０は必須の構成ではない。すなわち、表示装置２０とスマートデバイス３０とは直接Ｗｉ−Ｆｉ通信などで信号の送受信を行ってもよい。
【００６３】
また、上記実施形態の表示装置２０は、ＲＦリモコン１０で操作される別の操作対象機器であってもよい。
【００６４】
また、ジャイロセンサ１３０または３３０は、加速度を検出可能な加速度センサに置き換えられてもよい。また、振動センサ１４０は、角速度または加速度を検出可能なセンサにより構成されてもよい。
【００６５】
＜５．本発明の特徴＞
以上、説明したような構成の映像送信システムに含まれる特徴的な装置及び方法は、以下のようなものである。
【００６６】
まず、本発明のリモートコントロール装置（ＲＦリモコン１０）は、外部機器（表示装置２０）に対して無線で操作信号を送信する第１無線通信部（ＲＦ通信部１５０）と、外部機器においてダイアログ表示、エラー発生、コンテンツの再生終了、メール受信、または緊急放送受信の際に発信されるトリガー信号を受信する、第２無線通信部（ＩＲ通信部１６０）と、無線通信部のオン状態とオフ状態とを制御する制御部１００と、を備え、制御部１００は、第１無線通信部（ＲＦ通信部１５０）がオフ状態のときにトリガー信号が検出されたとき、第１無線通信部（ＲＦ通信部１５０）の状態をオン状態にするよう制御し、第１無線通信部（ＲＦ通信部１５０）は第２無線通信部（ＩＲ通信部１６０）よりも単位時間に多くの信号を送信可能であることを特徴とする。
【００６７】
上記構成のリモートコントロール装置（ＲＦリモコン１０）によれば、ユーザが外部機器の操作を開始する可能性が高いタイミングで発信されるトリガー信号に基づいて第１無線通信部（ＲＦ通信部１５０）を起動するため、ユーザが操作を開始する前に予めスリープ状態からの復帰処理を開始することができる。これにより、操作性を高めることができる。
【００６８】
また、本発明のリモートコントロール装置（ＲＦリモコン１０）は、外部機器（表示装置２０）に対して無線で操作信号を送信する第１無線通信部（ＲＦ通信部１５０）と、外部機器から発信されるトリガー信号を中継機器（スマートデバイス３０）を介して受信する第２無線通信部（ＩＲ通信部１６０）と、第１無線通信部のオン状態とオフ状態とを制御する制御部１００と、を備え、制御部１００は、第１無線通信部（ＲＦ通信部１５０）がオフ状態のときにトリガー信号が検出されたとき、第１無線通信部（ＲＦ通信部１５０）の状態をオン状態にするよう制御し、第１無線通信部（ＲＦ通信部１５０）は第２無線通信部（ＩＲ通信部１６０）よりも単位時間に多くの信号を送信可能であることを特徴とする。
【００６９】
上記構成のリモートコントロール装置（ＲＦリモコン１０）によれば、中継機器を介して受信したトリガー信号に基づいて第１無線通信部（ＲＦ通信部１５０）を起動して、スリープ状態からの復帰処理を開始することができる。これにより、操作性を高めることができる。
【００７０】
また、本発明のリモートコントロール装置（ＲＦリモコン１０）は、外部機器（表示装置２０）に対して無線で操作信号を送信する無線通信部（ＲＦ通信部１５０）と、振動を検出する振動検出部（振動センサ１４０）と、無線通信部（ＲＦ通信部１５０）のオン状態とオフ状態とを制御する制御部１００と、を備え、制御部１００は、無線通信部（ＲＦ通信部１５０）がオフ状態のときに振動検出部（振動センサ１４０）が振動を検出したとき、無線通信部（ＲＦ通信部１５０）の状態をオン状態にするよう制御することを特徴とする。
【００７１】
上記構成のリモートコントロール装置（ＲＦリモコン１０）によれば、検出された振動に基づいて第１無線通信部（ＲＦ通信部１５０）を起動して、スリープ状態からの復帰処理を開始することができる。これにより、操作性を高めることができる。
【００７２】
また、本発明のリモートコントロール装置（ＲＦリモコン１０）では、振動検出部（振動センサ１４０）は、外部機器から無線で送信されたトリガー信号によって発生した振動（スマートデバイス３０の振動）を検出することを特徴とする。
【００７３】
上記構成のリモートコントロール装置（ＲＦリモコン１０）によれば、トリガー信号を受信した機器を介して間接的に振動を検出して、スリープ状態からの復帰処理を開始することができる。これにより、操作性を高めることができる。
【産業上の利用可能性】
【００７４】
本発明は、対象機器を操作する、低消費電力リモコンなどとして好適に適用される。
【符号の説明】
【００７５】
１０…リモコン
２０…表示装置
３０…スマートデバイス
４０…ルーター
１００…制御部
１１０…メモリ
１２０…入力キー
１３０…ジャイロセンサ
１４０…振動センサ
１５０…ＲＦ通信部
１６０…ＩＲ通信部
２００…制御部
２１０…メモリ
２２０…表示部
２５０…ＲＦ通信部
２６０…ＩＲ通信部
２７０…Ｗｉ−Ｆｉ通信部
３００…制御部
３１０…メモリ
３２０…タッチパネル
３３０…ジャイロセンサ
３６０…ＩＲ通信部
３７０…Ｗｉ−Ｆｉ通信部
３８０…振動部
【図１】
2016025643.tif 000003
【図２】
2016025643.tif 000004
【図３】
2016025643.tif 000005
【図４】
2016025643.tif 000006
【図５】
2016025643.tif 000007
【図６】
2016025643.tif 000008
【図７】
2016025643.tif 000009
【図８】
2016025643.tif 000010
【図９】
2016025643.tif 000011